(57)【特許請求の範囲】
【請求項１】
三次元映像信号及び二次元映像信号を受信する放送受信装置であって、
前記三次元映像信号に基づく、眼鏡を用いることで立体視可能な三次元映像又は前記二次元映像信号に基づく二次元映像を表示する表示部と、
ユーザが前記眼鏡を用いて三次元映像を視認可能な状態であるか否かを検出する検出手段と、
前記表示部に表示中の映像が三次元映像であるか又は二次元映像であるかを判定する第１の判定手段と、
前記表示部に表示中の映像に対応し、かつ次元の異なる映像の映像信号を受信可能か否かを判定する第２の判定手段と、
前記検出手段による検出結果及び前記第１の判定手段による判定結果並びに前記第２の判定手段による判定結果に従って、前記表示部に表示する映像を切り換える制御手段と、を備え、
前記制御手段は、
ユーザが前記眼鏡により三次元映像を視認可能な状態で、前記表示部に表示中の映像が二次元映像であると判定され、かつ、当該二次元映像に対応する三次元映像に係る三次元映像信号を受信可能であると判定された場合には、前記表示部に表示する映像を当該三次元映像信号に基づく三次元映像に切り換えるように制御し、当該二次元映像に対応する三次元映像に係る三次元映像信号を受信可能でないと判定された場合には、前記眼鏡により前記二次元映像の視聴が可能な状態に制御し、
ユーザが前記眼鏡の未装着により三次元映像を視認可能でない状態で、前記表示部に表示中の映像が三次元映像であると判定され、かつ、当該三次元映像に対応する二次元映像に係る二次元映像信号を受信可能であると判定された場合には、前記表示部に表示する映像を当該二次元映像信号に基づく二次元映像に切り換えるように制御し、当該三次元映像に対応する二次元映像に係る二次元映像信号を受信可能でないと判定された場合には、前記三次元映像に係る左目用画像または右目用画像の一方を前記表示部に表示させる制御を行うことを特徴とする放送受信装置。
【請求項２】
前記制御手段に従って切り換えられた映像とともに、前記表示部に表示中の映像に関する情報を表示する制御を行う表示制御手段を有し、
前記表示制御手段は、ユーザが三次元映像を視認可能な状態で、前記表示部に表示中の映像が二次元映像であり、かつ、前記制御手段の制御によって、当該二次元映像に対応する三次元映像信号に基づく三次元映像に切り換えられた場合、当該三次元映像信号に基づく三次元映像とともに、前記表示部に表示中の二次元映像の情報を表示することを特徴とする請求項１に記載の放送受信装置。
【請求項３】
前記制御手段に従って切り換えられた映像とともに、前記表示部に表示中の映像に関する情報を表示する制御を行う表示制御手段を有し、
前記表示制御手段は、ユーザが三次元映像を視認可能ではない状態で、前記表示部に表示中の映像が三次元映像であり、かつ、前記制御手段の制御によって、当該三次元映像に対応する二次元映像信号に基づく二次元映像に切り換えられた場合、当該二次元映像信号に基づく二次元の映像とともに、前記表示部に表示中の三次元映像の情報を表示することを特徴とする請求項１に記載の放送受信装置。
【請求項４】
前記制御手段に従って切り換えられた映像とともに、前記表示部に表示中の映像に関する情報を表示する制御を行う表示制御手段を有し、
前記表示制御手段は、ユーザが三次元映像を視認可能な状態で、前記表示部に表示中の映像が二次元映像であり、かつ、前記制御手段の制御によって、当該二次元映像に対応する三次元映像信号に基づく三次元映像に切り換えられた場合、当該三次元映像信号に基づく三次元映像とともに当該三次元映像において前記表示部に表示中の二次元映像の情報と、自動的に三次元映像信号に基づく三次元映像に切り換えた旨を説明するメッセージを表示することを特徴とする請求項１に記載の放送受信装置。
【請求項５】
前記検出手段は、前記眼鏡に設けたセンサを用いて、ユーザが前記眼鏡を装着したか否かを検出することで、ユーザが三次元映像を視認可能な状態にあるか否かを検出することを特徴とする請求項１乃至４のいずれか１項に記載の放送受信装置。
【請求項６】
前記検出手段は、前記眼鏡に設けた電源スイッチがオン状態になったことを検出することで、ユーザが三次元映像を視認可能な状態にあると検出することを特徴とする請求項１乃至４のいずれか１項に記載の放送受信装置。
【請求項７】
三次元映像信号及び二次元映像信号を受信する放送受信装置であって、
前記三次元映像信号に基づく、眼鏡を用いることで立体視可能な三次元映像又は前記二次元映像に基づく二次元映像を表示する表示部と、
ユーザが前記眼鏡を用いて三次元映像を視認可能な状態であるか否かを検出する検出手段と、
前記二次元映像信号又は前記三次元映像信号に基づく映像の情報に基づいて、順方向又は逆方向に順次送って前記二次元映像又は前記三次元映像を切り換える切換手段と、
前記表示部で表示中の映像が三次元映像であるか又は二次元映像であるかを判定する判定手段と、
前記検出手段による検出結果と、前記判定手段による判定結果に従って、前記表示部に表示する映像の切り換え動作を制御する制御手段と、を備え、
前記制御手段は、ユーザが前記眼鏡により三次元映像を視認可能な状態で前記切換手段により映像が切り換えられた場合は、前記三次元映像を前記表示部に表示中の映像の映像信号に関する情報に基づいて順次切り換える制御を行い、ユーザが前記眼鏡の未装着により三次元映像を視認可能ではない状態で前記切換手段により映像が切り換えられた場合は、前記二次元映像を前記表示部に表示中の映像の映像信号に関する情報に基づいて順次切り換える制御を行うことを特徴とする放送受信装置。
【請求項８】
前記判定手段は、二次元映像を表示中の二次元映像に対応する映像の集合と、三次元映像を表示中の三次元映像に対応する映像の集合とを示す情報を生成し、
前記制御手段は、前記判定手段が生成した情報を用いて映像を切り換える制御を行うことを特徴とする請求項７に記載の放送受信装置。
【請求項９】
前記検出手段は、前記眼鏡に設けたセンサを用いて、ユーザが前記眼鏡を装着したか否かを検出することで、ユーザが三次元映像を視認可能な状態にあるか否かを検出することを特徴とする請求項７または８に記載の放送受信装置。
【請求項１０】
前記検出手段は、前記眼鏡に設けた電源スイッチがオン状態になったことを検出することで、ユーザが三次元映像を視認可能な状態にあると検出することを特徴とする請求項７または８に記載の放送受信装置。
【請求項１１】
前記制御手段は、前記表示部に表示される映像が、二次元映像又は三次元映像を含む主映像及び副映像を有しているか否かを判定し、
前記制御手段は、前記表示部に表示中の映像が主映像および副映像を有していると判定した場合、ユーザが三次元映像を視認可能な状態か否かについての検出結果、及び前記表示部に表示中の映像の次に表示される映像が二次元映像か三次元映像かの判定結果に応じて、二次元映像又は三次元映像のいずれかを表示する選択により、前記主映像または前記副映像の切り換えを制御することを特徴とする請求項１に記載の放送受信装置。
【請求項１２】
三次元映像信号及び二次元映像信号を受信する放送受信装置にて実行される制御方法であって、
前記三次元映像信号に基づく、眼鏡を用いることで立体視可能な三次元映像又は前記二次元映像信号に基づく二次元映像を表示部で表示する表示ステップと、
ユーザが前記眼鏡を用いて三次元映像を視認可能な状態であるか否かを検出する検出ステップと、
前記表示部で表示中の映像が三次元映像であるか又は二次元映像であるかを判定する第１の判定ステップと、
前記表示部に表示中の映像に対応し、かつ次元の異なる映像の映像信号を受信可能か否かを判定する第２の判定ステップと、
前記検出ステップでの検出結果及び前記第１の判定ステップでの判定結果並びに前記第２の判定ステップでの判定結果に従って、前記表示部に表示する映像を切り換える制御ステップと、を有し、
前記制御ステップでは、
ユーザが前記眼鏡により三次元映像を視認可能な状態で、前記表示部に表示中の映像が二次元映像であると判定され、かつ、当該二次元映像に対応する三次元映像に係る三次元映像信号を受信可能であると判定された場合には、前記表示部に表示する映像を当該三次元映像信号に基づく三次元映像に切り換えるように制御し、当該二次元映像に対応する三次元映像に係る三次元映像信号を受信可能でないと判定された場合には、前記眼鏡により前記二次元映像の視聴が可能な状態に制御し、
ユーザが前記眼鏡の未装着により三次元映像を視認可能でない状態で、前記表示部に表示中の映像が三次元映像であると判定され、かつ、当該三次元映像に対応する二次元映像に係る二次元映像信号を受信可能であると判定された場合には、前記表示部に表示する映像を当該二次元映像信号に基づく二次元映像に切り換えるように制御し、当該三次元映像に対応する二次元映像に係る二次元映像信号を受信可能でないと判定された場合には、前記三次元映像に係る左目用画像または右目用画像の一方を前記表示部に表示させる制御を行うことを特徴とする放送受信装置の制御方法。
【請求項１３】
三次元映像データに基づく、眼鏡を用いることで立体視可能な三次元映像又は二次元映像データに基づく二次元映像を表示する表示部と、
ユーザが前記眼鏡を用いて三次元映像を視認可能な状態であるか否かを検出する検出手段と、
前記表示部に表示中の映像が三次元映像であるか又は二次元映像であるかを判定する第１の判定手段と、
前記表示部に表示中の映像に対応し、かつ次元の異なる映像を前記表示部に表示可能か否かを判定する第２の判定手段と、
前記検出手段による検出結果及び前記第１の判定手段による判定結果並びに前記第２の判定手段による判定結果に従って、前記表示部に表示する映像を切り換える制御手段と、を備え、
前記制御手段は、
ユーザが前記眼鏡により三次元映像を視認可能な状態で、前記表示部に表示中の映像が二次元映像であると判定され、かつ、当該二次元映像に対応する三次元映像を前記表示部に表示可能であると判定された場合には、前記表示部に表示する映像を当該三次元映像に切り換えるように制御し、当該二次元映像に対応する三次元映像を前記表示部に表示可能でないと判定された場合には、前記眼鏡により前記二次元映像の視聴が可能な状態に制御し、
ユーザが前記眼鏡の未装着により三次元映像を視認可能でない状態で、前記表示部に表示中の映像が三次元映像であると判定され、かつ、当該三次元映像に対応する二次元映像を前記表示部に表示可能であると判定された場合には、前記表示部に表示する映像を当該二次元映像に切り換えるように制御し、当該三次元映像に対応する二次元映像を前記表示部に表示可能でないと判定された場合には、前記三次元映像に係る左目用画像または右目用画像の一方を前記表示部に表示させる制御を行うことを特徴とする表示装置。
【請求項１４】
前記制御手段に従って切り換えられた映像とともに、前記表示部に表示中の映像に関する情報を表示する制御を行う表示制御手段を有し、
前記表示制御手段は、ユーザが三次元映像を視認可能な状態で、前記表示部に表示中の映像が二次元映像であり、かつ、前記制御手段の制御によって、当該二次元映像に対応する三次元映像データに基づく三次元映像に切り換えられた場合、当該三次元映像データに基づく三次元映像とともに、前記表示部に表示中の二次元映像の情報を表示することを特徴とする請求項１３に記載の表示装置。
【請求項１５】
前記制御手段に従って切り換えられた映像とともに、前記表示部に表示中の映像に関する情報を表示する制御を行う表示制御手段を有し、
前記表示制御手段は、ユーザが三次元映像を視認可能ではない状態で、前記表示部に表示中の映像が三次元映像であり、かつ、前記制御手段の制御によって、当該三次元映像に対応する二次元映像データに基づく二次元映像に切り換えられた場合、当該二次元映像データに基づく二次元の映像とともに、前記表示部に表示中の三次元映像の情報を表示することを特徴とする請求項１３に記載の表示装置。
【請求項１６】
前記制御手段に従って切り換えられた映像とともに、前記表示部に表示中の映像に関する情報を表示する制御を行う表示制御手段を有し、
前記表示制御手段は、ユーザが三次元映像を視認可能な状態で、前記表示部に表示中の映像が二次元映像であり、かつ、前記制御手段の制御によって、当該二次元映像に対応する三次元映像データに基づく三次元映像に切り換えられた場合、当該三次元映像データに基づく三次元映像とともに当該三次元映像において前記表示部に表示中の二次元映像の情報と、自動的に三次元映像データに基づく三次元映像に切り換えた旨を説明するメッセージを表示することを特徴とする請求項１３に記載の表示装置。
【請求項１７】
前記検出手段は、前記眼鏡に設けたセンサを用いて、ユーザが前記眼鏡を装着したか否かを検出することで、ユーザが三次元映像を視認可能な状態にあるか否かを検出することを特徴とする請求項１３乃至１６のいずれか１項に記載の表示装置。
【請求項１８】
前記検出手段は、前記眼鏡に設けた電源スイッチがオン状態になったことを検出することで、ユーザが三次元映像を視認可能な状態にあると検出することを特徴とする請求項１３乃至１６のいずれか１項に記載の表示装置。
【請求項１９】
三次元映像データに基づく、眼鏡を用いることで立体視可能な三次元映像又は二次元映像データに基づく二次元映像を表示する表示部と、
ユーザが前記眼鏡を用いて三次元映像を視認可能な状態であるか否かを検出する検出手段と、
前記二次元映像データ又は前記三次元映像データに基づく映像の情報に基づいて、順方向又は逆方向に順次送って前記二次元映像又は前記三次元映像を切り換える切換手段と、
前記表示部で表示中の映像が三次元映像であるか又は二次元映像であるかを判定する判定手段と、
前記検出手段による検出結果と、前記判定手段による判定結果に従って、前記表示部に表示する映像の切り換え動作を制御する制御手段と、を備え、
前記制御手段は、ユーザが前記眼鏡により三次元映像を視認可能な状態で前記切換手段により映像が切り換えられた場合は、前記三次元映像を前記表示部に表示中の映像の映像データに関する情報に基づいて順次切り換える制御を行い、ユーザが前記眼鏡の未装着により三次元映像を視認可能ではない状態で前記切換手段により映像が切り換えられた場合は、前記二次元映像を前記表示部に表示中の映像の映像データに関する情報に基づいて順次切り換える制御を行うことを特徴とする表示装置。
【請求項２０】
前記判定手段は、二次元映像を表示中の二次元映像に対応する映像の集合と、三次元映像を表示中の三次元映像に対応する映像の集合とを示す情報を生成し、
前記制御手段は、前記判定手段が生成した情報を用いて映像を切り換える制御を行うことを特徴とする請求項１９に記載の表示装置。
【請求項２１】
前記検出手段は、前記眼鏡に設けたセンサを用いて、ユーザが前記眼鏡を装着したか否かを検出することで、ユーザが三次元映像を視認可能な状態にあるか否かを検出することを特徴とする請求項１９または２０に記載の表示装置。
【請求項２２】
前記検出手段は、前記眼鏡に設けた電源スイッチがオン状態になったことを検出することで、ユーザが三次元映像を視認可能な状態にあると検出することを特徴とする請求項１９または２０に記載の表示装置。
【請求項２３】
前記制御手段は、前記表示部に表示される映像が、二次元映像又は三次元映像を含む主映像及び副映像を有しているか否かを判定し、
前記制御手段は、前記表示部に表示中の映像が主映像および副映像を有していると判定した場合、ユーザが三次元映像を視認可能な状態か否かについての検出結果、及び前記表示部に表示中の映像の次に表示される映像が二次元映像か三次元映像かの判定結果に応じて、二次元映像又は三次元映像のいずれかを表示する選択により、前記主映像または前記副映像の切り換えを制御することを特徴とする請求項１３に記載の表示装置。
【請求項２４】
三次元映像データに基づく、眼鏡を用いることで立体視可能な三次元映像又は二次元映像データに基づく二次元映像を表示する表示部と、
ユーザが前記眼鏡を用いて三次元映像を視認可能な状態であるか否かを検出する検出手段と、
前記表示部に表示中の映像が三次元映像であるか又は二次元映像であるかを判定する第１の判定手段と、
前記表示部に表示中の映像に対応し、かつ次元の異なる映像を前記表示部に表示可能か否かを判定する第２の判定手段と、
前記検出手段による検出結果及び前記第１の判定手段による判定結果並びに前記第２の判定手段による判定結果に従って、前記表示部に表示する映像を切り換える制御手段と、を備える表示装置にて実行される制御方法であって、
前記制御手段により、
ユーザが前記眼鏡により三次元映像を視認可能な状態で、前記表示部に表示中の映像が二次元映像であると判定され、かつ、当該二次元映像に対応する三次元映像を前記表示部に表示可能であると判定された場合には、前記表示部に表示する映像を当該三次元映像に切り換えるように制御し、当該二次元映像に対応する三次元映像を前記表示部に表示可能でないと判定された場合には、前記眼鏡により前記二次元映像の視聴が可能な状態に制御するステップと、
ユーザが前記眼鏡の未装着により三次元映像を視認可能でない状態で、前記表示部に表示中の映像が三次元映像であると判定され、かつ、当該三次元映像に対応する二次元映像を前記表示部に表示可能であると判定された場合には、前記表示部に表示する映像を当該二次元映像に切り換えるように制御し、当該三次元映像に対応する二次元映像を前記表示部に表示可能でないと判定された場合には、前記三次元映像に係る左目用画像または右目用画像の一方を前記表示部に表示させる制御を行うステップと、を有することを特徴とする表示装置の制御方法。
【発明の詳細な説明】
【技術分野】
【０００１】
本発明は、三次元映像放送及び二次元映像放送の受信が可能な放送受信装置とその制御方法、並びに表示装置及びその制御方法に関する。
【背景技術】
【０００２】
近年、デジタル技術の進歩に伴い、立体視可能な三次元映像番組の製作環境が整備され、三次元映像放送が開始されている。現在行われている三次元映像放送は、サイドバイサイド方式を採用している。この方式では、表示画面上に偏向特性を有するフィルムを貼り、右目用、左目用画像をインターレース表示する。この表示映像を視聴者が偏向眼鏡を通して見ることで、左目用表示ラインが左目、右目用表示ラインが右目に見えるため、視聴者の立体視が可能となる。また、今後はより高精細な立体映像を表示するために、フレームシーケンシャル方式による放送が行われることが想定される。フレームシーケンシャル方式の三次元映像放送を受信可能な放送受信装置では、左目用の画像と右目用の画像を交互に表示し、視聴者が液晶シャッタ式眼鏡を使用して映像を視認する。つまり、シャッタ式眼鏡にて、左目用画像が左目のみに見え、右目用画像が右目のみに見えるようにシャッタ制御を行うことで、視聴者は立体映像を知覚できる。
【０００３】
このような、眼鏡方式の三次元映像放送受信装置においては、ユーザが眼鏡を装着していない状態で三次元映像が表示されると、非常に見づらい映像になってしまう、という課題があった。この課題を解決する技術として、特許文献１では、立体映像禁止手段を設け、立体映像表示を禁止する機能が選択されていない場合には三次元映像を生成して表示させる技術が開示されている。また、特許文献２には、ユーザの眼鏡装着状態を判定し、ユーザが眼鏡を装着している場合に三次元映像を生成して表示させる技術が開示されている。
【先行技術文献】
【特許文献】
【０００４】
【特許文献１】特開平９−９２９６号公報
【特許文献２】特開２０００−４４５３号公報
【発明の概要】
【発明が解決しようとする課題】
【０００５】
将来、三次元映像放送に対応している受信装置と、非対応の受信装置が混在することが考えられるので、当然ながら、三次元映像放送番組と二次元映像放送番組が併存する環境が続くことになる。その放送形態も、三次元映像放送に対応している受信装置向けの三次元映像放送番組のみを放送する形態の他、同一内容の番組について、三次元映像と二次元映像の２つの番組を２つのチャンネルで同時に放送する、いわゆるサイマル放送のような形態も想定される。サイマル放送の他に、単一チャンネル内に三次元映像放送番組のストリームと二次元映像放送番組のストリームとが多重化されて放送される場合も考えられる。いずれにしても、視聴者は、自分の眼鏡の装着／非装着状況と放送番組が三次元映像や二次元映像に対応しているか否かを考慮して、チャンネルの選局を行う必要があり、チャンネル選局操作が非常に煩雑になり得る。従って、将来、三次元映像放送番組と二次元映像放送番組とが併存する放送環境に適応した選局操作方法を視聴者に提供することが求められている。
【０００６】
そこで、本発明は三次元映像放送番組と二次元映像放送番組が混在する放送環境において、ユーザが眼鏡を用いて三次元映像を視認可能な状態にあるか否かを判定する。この判定結果に応じて、表示映像の切り換えを容易に行うとともにユーザの利便性を向上させることを目的とする。
【課題を解決するための手段】
【０００７】
上記課題を解決するために、本発明に係る第１の装置は、三次元映像信号及び二次元映像信号を受信する放送受信装置であって、前記三次元映像信号に基づく、眼鏡を用いることで立体視可能な三次元映像又は前記二次元映像信号に基づく二次元映像を表示する表示部と、ユーザが前記眼鏡を用いて三次元映像を視認可能な状態であるか否かを検出する検出手段と、前記表示部に表示中の映像が三次元映像であるか又は二次元映像であるかを判定する第１の判定手段と、前記表示部に表示中の映像に対応し、かつ次元の異なる映像の映像信号を受信可能か否かを判定する第２の判定手段と、前記検出手段による検出結果及び前記第１の判定手段による判定結果並びに前記第２の判定手段による判定結果に従って、前記表示部に表示する映像を切り換える制御手段と、を備える。前記制御手段は、ユーザが前記眼鏡により三次元映像を視認可能な状態で、前記表示部に表示中の映像が二次元映像であると判定され、かつ、当該二次元映像に対応する三次元映像に係る三次元映像信号を受信可能であると判定された場合には、前記表示部に表示する映像を当該三次元映像信号に基づく三次元映像に切り換えるように制御し、当該二次元映像に対応する三次元映像に係る三次元映像信号を受信可能でないと判定された場合には、前記眼鏡により前記二次元映像の視聴が可能な状態に制御し、ユーザが前記眼鏡の未装着により三次元映像を視認可能でない状態で、前記表示部に表示中の映像が三次元映像であると判定され、かつ、当該三次元映像に対応する二次元映像に係る二次元映像信号を受信可能であると判定された場合には、前記表示部に表示する映像を当該二次元映像信号に基づく二次元映像に切り換えるように制御し、当該三次元映像に対応する二次元映像に係る二次元映像信号を受信可能でないと判定された場合には、前記三次元映像に係る左目用画像または右目用画像の一方を前記表示部に表示させる制御を行う。
【０００８】
本発明に係る第２の装置は、三次元映像信号及び二次元映像信号を受信する放送受信装置であって、前記三次元映像信号に基づく、眼鏡を用いることで立体視可能な三次元映像又は前記二次元映像に基づく二次元映像を表示する表示部と、ユーザが前記眼鏡を用いて三次元映像を視認可能な状態であるか否かを検出する検出手段と、前記二次元映像信号又は前記三次元映像信号に基づく映像の情報に基づいて、順方向又は逆方向に順次送って前記二次元映像又は前記三次元映像を切り換える切換手段と、前記表示部で表示中の映像が三次元映像であるか又は二次元映像であるかを判定する判定手段と、前記検出手段による検出結果と、前記判定手段による判定結果に従って、前記表示部に表示する映像の切り換え動作を制御する制御手段と、を備える。前記制御手段は、ユーザが前記眼鏡により三次元映像を視認可能な状態で前記切換手段により映像が切り換えられた場合は、前記三次元映像を前記表示部に表示中の映像の映像信号に関する情報に基づいて順次切り換える制御を行い、ユーザが前記眼鏡の未装着により三次元映像を視認可能ではない状態で前記切換手段により映像が切り換えられた場合は、前記二次元映像を前記表示部に表示中の映像の映像信号に関する情報に基づいて順次切り換える制御を行う。
本発明に係る第３の装置である表示装置は、三次元映像データに基づく、眼鏡を用いることで立体視可能な三次元映像又は二次元映像データに基づく二次元映像を表示する表示部と、ユーザが前記眼鏡を用いて三次元映像を視認可能な状態であるか否かを検出する検出手段と、前記表示部に表示中の映像が三次元映像であるか又は二次元映像であるかを判定する第１の判定手段と、前記表示部に表示中の映像に対応し、かつ次元の異なる映像を前記表示部に表示可能か否かを判定する第２の判定手段と、前記検出手段による検出結果及び前記第１の判定手段による判定結果並びに前記第２の判定手段による判定結果に従って、前記表示部に表示する映像を切り換える制御手段と、を備える。前記制御手段は、ユーザが前記眼鏡により三次元映像を視認可能な状態で、前記表示部に表示中の映像が二次元映像であると判定され、かつ、当該二次元映像に対応する三次元映像を前記表示部に表示可能であると判定された場合には、前記表示部に表示する映像を当該三次元映像に切り換えるように制御し、当該二次元映像に対応する三次元映像を前記表示部に表示可能でないと判定された場合には、前記眼鏡により前記二次元映像の視聴が可能な状態に制御し、ユーザが前記眼鏡の未装着により三次元映像を視認可能でない状態で、前記表示部に表示中の映像が三次元映像であると判定され、かつ、当該三次元映像に対応する二次元映像を前記表示部に表示可能であると判定された場合には、前記表示部に表示する映像を当該二次元映像に切り換えるように制御し、当該三次元映像に対応する二次元映像を前記表示部に表示可能でないと判定された場合には、前記三次元映像に係る左目用画像または右目用画像の一方を前記表示部に表示させる制御を行う。
本発明に係る第４の装置である表示装置は、三次元映像データに基づく、眼鏡を用いることで立体視可能な三次元映像又は二次元映像データに基づく二次元映像を表示する表示部と、ユーザが前記眼鏡を用いて三次元映像を視認可能な状態であるか否かを検出する検出手段と、前記二次元映像データ又は前記三次元映像データに基づく映像の情報に基づいて、順方向又は逆方向に順次送って前記二次元映像又は前記三次元映像を切り換える切換手段と、前記表示部で表示中の映像が三次元映像であるか又は二次元映像であるかを判定する判定手段と、前記検出手段による検出結果と、前記判定手段による判定結果に従って、前記表示部に表示する映像の切り換え動作を制御する制御手段と、を備える。前記制御手段は、ユーザが前記眼鏡により三次元映像を視認可能な状態で前記切換手段により映像が切り換えられた場合は、前記三次元映像を前記表示部に表示中の映像の映像データに関する情報に基づいて順次切り換える制御を行い、ユーザが前記眼鏡の未装着により三次元映像を視認可能ではない状態で前記切換手段により映像が切り換えられた場合は、前記二次元映像を前記表示部に表示中の映像の映像データに関する情報に基づいて順次切り換える制御を行う。
【発明の効果】
【０００９】
本発明によれば、三次元映像放送番組と二次元映像放送番組が混在する放送環境において、ユーザが眼鏡を用いて三次元映像を視認可能な状態にあるか否かを判定する。この判定結果に応じて、表示映像の切り換えを容易に行うとともにユーザの利便性を向上させることが可能となる。
【図面の簡単な説明】
【００１０】
【図１】本発明の一実施形態に係る放送受信装置の概略構成を例示したブロック図である。
【図２】放送番組情報の表示例を示す図である。
【図３】映像コンポーネント種別を例示した図である。
【図４】図５と併せて本発明の第１実施形態を説明するために、選局処理例を示すフローチャートである。
【図５】（Ａ）にチャンネル番号、放送局名、番組名、放送映像の種類を表形式で例示し、（Ｂ）に放送番組情報の表示例を示す図である。
【図６】図７と併せて本発明の第２実施形態を説明するために、選局処理例を示すフローチャートである。
【図７】放送チャンネルリストを表形式で例示した図である。
【図８】図９と併せて本発明の第３実施形態を説明するために、マルチビュー放送における、映像及び音声の構成例を示す図である。
【図９】表示映像の切り換え処理例を示すフローチャートである。
【発明を実施するための形態】
【００１１】
図１は本発明の一実施形態に係る放送受信装置の構成例を示し、三次元映像放送及び二次元映像放送の受信及び表示が可能なデジタルテレビジョン放送受信装置（ＤＴＶ）の要部を示すブロック図である。なお本例に示す装置によって提供される三次元映像についてはユーザが専用のシャッタ式眼鏡を用いて立体視可能であり、また二次元映像についてはユーザが該眼鏡を用いることなく視認可能である。
放送受信装置１００は、アンテナ１０１に接続されたチューナ部１０２、トランスポートストリーム（以下、ＴＳと略記する）データ処理部１０３、デスクランブル処理部１０５、デコード処理部１０６、出力処理部１０７、表示部１０８を備える。
【００１２】
番組情報表示部１１０は、選局されたチャンネルの映像とともに、選局指示されたチャンネルの放送番組に関する放送番組情報を表示させるように表示制御を行う。放送番組情報としては、例えば、チャンネル番号、放送局名、番組名、番組の放送開始時刻及び放送終了時刻が表示される。そして映像がＳＤ（Standard Definition）画質やＨＤ（High
Definition）画質の映像、三次元映像、又は二次元映像であることを示す映像種別情報が表示される。図２は放送番組情報の表示例を示し、放送番組情報２００の表示を見たユーザは、チャンネル番号１６のスポーツ中継を、放送局Ａが２１時から２３時２５分まで三次元映像で放送していることが分かる。
サイマル放送判定部１１１は、映像が同一グループ内の放送映像であるか否かを判定するグループ判定手段を構成し、判定結果を後述の制御部１２５に送出する。映像判定部１１２は、受信した放送番組の映像が三次元映像であるか、又は二次元映像であるかを判定し、判定結果を後述の制御部１２５に送出する。
なお、「サイマル放送」とは、同一内容の番組を異なる送信媒体やチャンネルで同時間帯に並行して放送する形態を示す表現である。現在、一般的に行われているサイマル放送の形態として代表的なものは、同一内容の番組をアナログ放送とデジタル放送で同時間帯に放送する形態や、地上デジタル放送とワンセグ放送（携帯端末向け放送）とで同一内容の番組を同時間帯に放送する形態が挙げられる。上述したとおり、一般的なサイマル放送は同一内容の番組を放送するものである。しかし、本発明においては、二次元映像として構成された番組と、該番組と同一内容で、かつ三次元映像として構成された番組とを、異なる送信媒体やチャンネルで同時間帯に並行して放送する形態を「サイマル放送」と表現した。したがって、厳密には「同一内容であって、かつ次元の異なる二次元映像番組と三次元映像番組の同時間帯放送」ということになるが、説明を理解し易くするために、各実施形態では、「サイマル放送」と表記する点に注意されたい。
【００１３】
眼鏡制御・通信部１１３は、眼鏡１１４と通信してそのシャッタ制御を行い、左目用画像がユーザの左目に入り、右目用画像がユーザの右目に入るように制御する。つまり、本実施形態における三次元映像はフレームシーケンシャルまたはフィールドシーケンシャル方式であり、左目用画像と右目用画像とを交互に表示するものである。リモートコントローラ（以下、リモコンという）１２１によるユーザの操作指示は、リモコン信号受信部１２０が受信する。リモコン１２１から赤外線により送信されるコマンドコードをリモコン信号受信部１２０が受信すると、これを制御部１２５に転送する。
【００１４】
制御部１２５は、ＣＰＵ（中央演算処理装置）や、ＲＯＭ、ＲＡＭ等の記憶装置を用いて構成され、装置全体の制御を司る。制御部１２５と各部はバスを通じて互いに必要な情報を送受信できるように接続されている。制御部１２５は、眼鏡の装着状態に係る検出結果や、サイマル放送判定部１１１、映像判定部１１２による判定結果に従って、選局動作や表示映像の切り換え動作等を制御するが、詳細は後述する。またマルチビュー放送判定部１３０については後述の実施形態にて詳述する。
【００１５】
次に、放送受信装置１００の基本的動作を説明する。
アンテナ１０１を通して入力されたデジタル放送信号は、チューナ部１０２でＴＳに変換された後、ＴＳデータ処理部１０３に転送される。ＴＳデータ処理部１０３は、多重化されたＴＳを映像基本ストリーム（以下、基本ストリームをＥＳと略記する）、音声ＥＳ、データＥＳに分離する。さらにＴＳデータ処理部１０３は、ＰＳＩ、ＳＩ、ＰＭＴ、ＳＤＴ、ＥＩＴ等を分離し、選局チャンネルの映像種別やサイマル放送チャンネル等を識別できるように構成されている。なおＰＳＩは”Program Specific Information”の略号であり、ＳＩは”Service Information”の略号である。ＰＭＴは”Program Map Table”の略号、ＳＤＴは”Service Description Table”の略号、ＥＩＴは”Event Information Table”の略号である。
【００１６】
ＥＳによってはＭＵＬＴＩ２方式でスクランブル処理されているため、デスクランブル処理を行う必要がある。この場合、ＴＳデータ処理部１０３は不図示のＩＣカードからデスクランブル鍵を取得し、これをデスクランブル処理部１０５に設定する。デスクランブル処理部１０５はＥＳのデスクランブル処理を行い、デスクランブル処理後の映像ＥＳと音声ＥＳはデコード処理部１０６でデコードされる。デコード処理された映像データは出力処理部１０７に送られ、映像表示に必要な処理が施された後で、表示部１０８にて映像が表示される。表示部１０８は、三次元映像の表示を行う際、左目用画像と右目用画像を交互に表示する。
【００１７】
番組情報表示部１１０は、必要に応じて表示中の放送番組に関する放送番組情報を、表示部１０８が表示する映像に重ねて表示させる。一般的に、こうした表示を番組情報バナー表示と称している。番組情報バナーは、選局してから数秒間表示するように制御される。映像判定部１１２は、処理中の映像ＥＳに係る映像が三次元映像、二次元映像のいずれであるかを判定し、判定結果を制御部１２５に通知する。（社）電波産業会（ＡＲＩＢ）の標準規格によれば、デジタル放送において映像、音声及び番組に関する種々の情報をＰＳＩ、ＳＩデータ内の各種テーブルとして放送信号に多重し、送出することが可能である。
【００１８】
本実施形態では、映像が三次元映像であるか二次元映像であるかを判定するための識別子として、コンポーネント記述子のコンポーネント種別（component_type）を用いる。コンポーネント記述子は番組名、放送時刻、番組説明などの番組に関する情報を保持したＥＩＴに含まれる。コンポーネント種別の情報を用いて、映像フォーマットが三次元映像であるか又は二次元映像であるかを示す映像フォーマット情報や、サイマル放送の有無を示す情報の送出及び判別が行われるものとする。またＰＭＴ、ＳＤＴ、又はＥＩＴに挿入されるリンク記述子を用いてサイマル放送関係にある放送方式及びチャンネルの情報が装置に送出される。
図３は、コンポーネント記述子を例示したものであり、コンポーネント種別0x00〜0xC0は現在規格化されている映像コンポーネントを示している。映像フォーマット情報（解像度、アスペクト比、三次元映像／二次元映像）、サイマル放送の有無を示す情報の記述例が0xF1〜0xF4に示されている。
【００１９】
映像判定部１１２は、コンポーネント種別の情報に基づいて、処理中の映像ＥＳに係る映像が三次元映像であるか、又は二次元映像であるかを判定する。サイマル放送判定部１１１は、コンポーネント種別にてサイマル放送有りと記述されている場合、処理中の映像ＥＳが同一グループに属する映像ストリームの１つであることを判定する。ここで、同一グループとは、上述した、同一内容の二次元映像番組と三次元映像番組とからなるサイマル放送を一つの集合として見なした表現である。またサイマル放送判定部１１１は、処理中の映像ＥＳのチャンネルとサイマル放送の関係にあるチャンネル、すなわち同一グループの他のチャンネルを検出可能である。本判定は、ＥＩＴのコンポーネント記述子、リンク記述子のサービスＩＤ、放送情報、ネットワーク識別情報に基づいて行われる。
【００２０】
眼鏡制御・通信部１１３は、表示映像が三次元映像である場合、左目用画像と右目用画像を交互に表示するタイミングと同期して眼鏡１１４のシャッタ制御を行う。これによりユーザは左目用画像を左目で、右目用画像を右目で見ることで立体視が可能となる。眼鏡１１４は装着状態検出部１１５を有し、眼鏡制御・通信部１１３は、ユーザによる眼鏡１１４の装着状態の如何を判定できる。その場合、前記特許文献１と同様の技術を用いてもかまわない。なお、本発明においては、ユーザが実際に眼鏡を装着しているか否かを検出するのではなく、ユーザが眼鏡を用いて三次元映像を視認可能な状態であるか否かを判定できればよい。つまり、ユーザが眼鏡１１４を装着しているか否かを検出するためのセンサ、例えば近接センサや接触センサなどを用いることができる。実際の装着を検知するケースはもちろん、眼鏡１１４が液晶シャッタで駆動するタイプであれば、その駆動用の電源スイッチがオン状態になったことを検知して、本願発明の制御を行うことも可能である。眼鏡の電源スイッチがオン状態になれば、ユーザは眼鏡を用いて三次元映像の視認が可能な状態になっていると判断することができるためである。なお、以下の各実施形態の説明では、ユーザが眼鏡を装着しているか否かを装着状態検出部で検出することとして説明する。
【００２１】
［第１実施形態］
以下、図４及び図５を参照しながら、第１実施形態の動作を説明する。
図４は、選局処理例を示すフローチャートであり、制御部１２５のＣＰＵによって解釈及び実行されるプログラムに従って以下の各ステップの処理が行われる。ユーザがリモコン１２１を用いてチャンネル切り換え操作を行うことにより、図４に示す処理が開始する。
Ｓ１０１にて眼鏡制御・通信部１１３は、眼鏡１１４と通信し、装着状態検出部１１５の検出信号に基づき、ユーザによる眼鏡の装着状態について判定する。その結果、ユーザが眼鏡を装着していると判定された場合、Ｓ１１０へ処理を進めるが、未装着の場合は、Ｓ１２０へ処理を進める。
【００２２】
Ｓ１１０にて映像判定部１１２は、ユーザの操作により選局される選局先のチャンネルにて現在放送されている番組に係る映像が三次元映像であるか、又は二次元映像であるかを判定する。この判定は、映像判定部１１２が上述したコンポーネント種別の情報を参照することで実行できる。その結果、三次元映像の場合は、Ｓ１１１へ処理を進め、ユーザが選局指示したチャンネルの選局が行われて、放送番組の映像が表示部１０８に表示される。そしてＳ１１２へ処理を進め、番組情報表示部１１０は、ユーザ選局したチャンネルにおける表示した番組の放送番組情報を画面に表示させる。
【００２３】
一方、Ｓ１１０において、映像判定部１１２が二次元映像と判定した場合は、処理をＳ１１３へ進める。ここで制御部１２５は二次元映像に対応するサイマル放送である三次元映像放送がこの時点で行われているか否かを判定する。この判定は、二次元映像のチャンネルを選局した時点で当該チャンネルにて放送中の番組と同じ内容の三次元番組が放送されているか否かを判定するのと等しい。その結果、サイマル放送が行われていると判定された場合は、Ｓ１１４に処理を進める。ここで、同一グループのチャンネル、すなわちサイマル放送の三次元映像放送チャンネルが選局され、放送中の三次元放送番組の映像が表示部１０８に表示される。具体的には、サイマル放送判定部１１１が、ＴＳデータ処理部１０３で分離したＥＩＴのコンポーネント記述子、リンク記述子のサービスＩＤ、放送情報、ネットワーク識別を取得する。これらの情報に基づき、サイマル放送判定部１１１は、ユーザが選局指示した二次元映像放送チャンネルと同じグループである三次元映像放送のチャンネルを検出する。検出したチャンネルが選局され、番組が表示される。そしてＳ１１５に移行し、番組情報表示部１１０は、ユーザが選局指示したチャンネルにおける放送番組情報を表示させ、処理を終了する。したがって、Ｓ１１４で選局したチャンネル番号とＳ１１５で表示した放送番組情報のチャンネル番号とは異なることになる。選局したチャンネルにおける放送番組情報を表示するのは、ユーザ自身が選局したチャンネルとは異なるチャンネル番号が表示されると混乱を招く可能性があるためである。ユーザは眼鏡を装着しているので、ユーザが期待しているのは三次元放送である。したがって、映像そのものは三次元映像を表示するのが望ましく、放送番組情報は選局したチャンネルにおける放送番組情報とするのが好適である。
一方、Ｓ１１３にてサイマル放送である三次元映像放送が行われていないと判定された場合、すなわちＥＩＴのコンポーネント記述子にサイマル放送有りの記述がなかった場合は、Ｓ１１６へ処理を進める。この場合には、ユーザが選局したチャンネルは二次元放送のチャンネルであり、かつ、対応する三次元放送が無いので、専用眼鏡をかけたユーザには二次元放送の映像が提示される。そこで、ユーザの選局指示したチャンネルを選局し、眼鏡の両方の目のシャッタを常時開状態とする。そしてＳ１１７に処理を進め、表示したチャンネルにおける放送番組情報が表示された後、処理を終了する。なおＳ１１６の処理においては、ユーザが眼鏡を装着した状態で二次元映像が表示されるが、ユーザが眼鏡を装着していない状態で三次元映像を視認する状態とは異なり、ユーザが特段見づらい映像を見ることはない。また、二次元映像が表示された旨をユーザに通知することが望ましい。
【００２４】
前記Ｓ１０１において、ユーザが眼鏡を装着していないと判定された場合は、Ｓ１２０へ処理を移行させる。ここで映像判定部１１２は、Ｓ１１０と同様に、選局先のチャンネルの映像が三次元映像であるか、二次元映像であるかを判定する。その結果、二次元映像と判定された場合は、Ｓ１２１へ移行し、ユーザが選局指示したチャンネルが選局されて、放送中の二次元放送番組の映像が表示される。そしてＳ１２２にて、選局したチャンネルにおける表示した番組の放送番組情報が表示された後、処理を終了する。
【００２５】
一方、Ｓ１２０で選局先のチャンネルの番組映像が三次元映像であると判定された場合は、Ｓ１２３に処理を移行させる。Ｓ１２３では、サイマル放送である二次元映像放送がこの時点で行われているか否かを制御部１２５が判定する。その結果、サイマル放送が行われていると判定された場合は、Ｓ１２４に移行する。
Ｓ１２４では、同一グループのチャンネル、すなわちサイマル放送の二次元映像放送チャンネルが選局され、放送中の二次元放送番組の映像が表示部１０８に表示される。そしてＳ１２５にて、ユーザが選局指示したチャンネルにおける放送番組情報が表示される。したがって、Ｓ１２４で選局したチャンネル番号とＳ１２５で表示した放送番組情報のチャンネル番号とが異なることになる。
また、Ｓ１２３において、サイマル放送が行われていないと判定された場合は、Ｓ１２６に処理を移行させる。Ｓ１２６では、ユーザが眼鏡を装着していない状態で三次元映像放送のチャンネルを選局し、かつ、対応する二次元映像放送が無い状況であるので、この場合は、左目用画像または右目用画像のどちらか一方の画像を表示部１０８に表示させる制御が行われる。左目または右目のどちらか一方の画像は二次元画像であるので、このような画像を表示していれば、ユーザは通常の二次元映像放送と同様に番組を視聴することが可能となる。そして、Ｓ１２７にて、ユーザが選局したチャンネルにおける放送番組情報が表示される。このケースでは、番組情報の他に、眼鏡を装着すれば三次元映像が視認できることや、三次元映像を二次元映像として表示していることを示す追加情報を表示するのが好適である。
【００２６】
具体的な動作例を以下に説明する。図５（Ａ）は、チャンネル番号、放送局名、番組名、放送映像の種類を表形式で例示したものである。チャンネル番号１と２では、放送局Ａによる番組１のサイマル放送が行われており、チャンネル番号１では三次元映像放送、チャンネル番号２では二次元映像放送が行われているものとする。そして同時間帯にチャンネル番号３では放送局Ｂによる番組２の三次元映像放送が行われている。チャンネル番号４と５では放送局Ｃによる番組３のサイマル放送が行われており、チャンネル番号４では三次元映像放送が行われ、チャンネル番号５では二次元映像放送が行われている。チャンネル番号６では放送局Ｄによる番組４の二次元映像放送が行われている。
【００２７】
（シナリオ１：眼鏡装着状態でのチャンネル番号１から３への切り換え）
図５（Ａ）に示す放送が行われている状態で、ユーザは専用の眼鏡１１４を装着し、チャンネル番号１の番組を視聴しているものとする。この状態で、ユーザがチャンネル番号３への選局指示を行った場合の動作を以下に説明する。なお、以下の選局指示は、リモコン１２１に設けられた、各チャンネルが割り当てられた数字キーを押下することによって行われる。
【００２８】
まず、図４のＳ１０１においてユーザは眼鏡を装着していると判定され、Ｓ１１０へ処理を移行する。選局先のチャンネル番号３では三次元映像放送が行われているため、Ｓ１１１へ移行する。そして、ユーザが選局指示したチャンネル、すなわちチャンネル番号３が選局され、番組２の映像が表示される。そしてＳ１１２にて、表示された番組２の放送番組情報、すなわちチャンネル番号３における放送番組情報がバナーとして映像に重畳されて表示される。
以上の動作により、ユーザが眼鏡を装着した状態で、三次元映像チャンネルを選局指示した場合には、選局したチャンネルの映像及び放送番組情報が表示され、ユーザは三次元映像を視認できる。
【００２９】
（シナリオ２：眼鏡未装着状態でのチャンネル番号２から４への切り換え）
図５（Ａ）に示す放送が行われている状態で、ユーザは眼鏡を装着せず、チャンネル番号２の放送番組を視聴しているものとする。この状態で、ユーザがチャンネル番号４への選局指示を行った時の動作を以下に説明する。
まず、Ｓ１０１においてユーザが眼鏡を装着していないと判定され、Ｓ１２０へ進む。選局先のチャンネル番号４では三次元映像放送が行われているので、Ｓ１２３へ移行する。ここで、チャンネル番号４と同一グループである、サイマル放送の二次元映像放送チャンネル、すなわちチャンネル番号４のサイマル放送であるチャンネル番号５の番組３が放送されていると判定される。その後、Ｓ１２４にてチャンネル番号５が選局され、番組３の映像が表示される。そしてＳ１２５にて、ユーザが選局指示したチャンネル、すなわちチャンネル番号４における放送番組情報がバナーとして表示される。ここで、Ｓ１２４ではチャンネル番号５を選局しているが、Ｓ１２５ではチャンネル番号４の放送番組情報を表示していることに注意を要する。このときの画面表示例を図５（Ｂ）に示す。同図において、符号２０１で示す画面の映像はチャンネル番号５の二次元映像であり、符号２０２で示す放送番組情報の表示領域にはチャンネル番号４における放送番組情報が表示される。
【００３０】
以上の動作により、眼鏡の未装着状態でユーザが二次元映像のサイマル放送がある三次元映像チャンネルを選局指示した場合には、サイマル放送の二次元映像が表示されるとともに、選局指示した番組の放送番組情報が表示される。すなわち、ユーザは眼鏡を装着していない状態で、見づらい三次元映像を見ずに済む。また、ユーザは表示された放送番組情報から自分が選局した番組に対応する三次元映像放送番組の放送の存在を知ることができ、眼鏡を装着すれば、三次元映像放送を視聴できることが容易に分かる。
【００３１】
（シナリオ３：眼鏡装着状態でのチャンネル番号１から２への切り換え）
図５（Ａ）に示す放送が行われている状態で、ユーザは眼鏡を装着し、チャンネル番号１の番組を視聴しているものとする。この状態で、ユーザがチャンネル番号２への選局指示を行った時の動作を以下に説明する。
【００３２】
まず、Ｓ１０１においてユーザが眼鏡を装着していると判定され、Ｓ１１０へ処理を移行する。ここで選局先の映像は二次元映像であると判定されるため、処理はＳ１１３へ移行する。Ｓ１１３では、同一グループであるサイマル放送の三次元映像放送チャンネル、すなわちチャンネル番号２のサイマル放送を行っているチャンネル番号１の番組１が放送されていると判定される。それからＳ１１４に移行し、チャンネル番号１が選局され、番組１の三次元映像が表示される。ただし、本処理においてはチャンネル番号の変更はないので、実質的には選局は行われない。そしてＳ１１５にて、ユーザが選局指示したチャンネル、すなわちチャンネル番号２における放送番組情報が表示される。ここでも、Ｓ１１４にてチャンネル番号１の放送番組の映像が表示され、Ｓ１１５ではチャンネル番号２における放送番組情報が表示されることに注意を要する。
【００３３】
以上の動作により、ユーザが眼鏡を装着した状態で、サイマル放送の二次元映像放送チャンネルを選局指示した場合には、サイマル放送の三次元映像が表示され、ユーザが選局指示した放送番組の放送番組情報が表示される。すなわち、ユーザは三次元映像を視認できる。また、ユーザは表示された放送番組情報を見て、二次元映像番組が放送されていることを知る。よってユーザは眼鏡を装着しなくても、二次元映像放送を視聴できることが容易に分かる。
【００３４】
（シナリオ４：眼鏡の装着状態の変化）
本実施形態において眼鏡制御・通信部１１３は、定期的に又は常時、眼鏡１１４と通信し、ユーザの眼鏡装着状態を判定する。ユーザの眼鏡装着状態に変化があった場合、図４に示すフローチャートに従って処理が行われる。この場合、現時点で選局指示されているチャンネルを「選局先チャンネル」として、図４に示す処理が開始する。
【００３５】
前記シナリオ２では図５（Ａ）の放送状態を想定し、ユーザが眼鏡を装着せずにチャンネル番号２から４への選局指示を行った場合、チャンネル番号４のサイマル放送であるチャンネル番号５が選局され、チャンネル番号４の番組情報が表示された。この状態で、ユーザが眼鏡を装着した場合の処理を以下に説明する。
【００３６】
眼鏡制御・通信部１１３は、眼鏡の未装着状態から装着状態に変わったと判定し、チャンネル番号４を選局先として、図４に示すフローチャート処理を開始する。まず、ユーザは眼鏡を装着しているため、Ｓ１０１からＳ１１０へ処理を移行する。Ｓ１１０では、選局先のチャンネルで放送中の番組の映像は三次元映像であると判定されるため、Ｓ１１１へ移行する。ユーザが選局指示したチャンネルの番組映像、すなわちチャンネル番号４の番組映像が表示され、Ｓ１１２にて、表示した放送番組情報、すなわちチャンネル番号４における放送番組情報が表示される。
以上の動作により、ユーザがサイマル放送の二次元映像番組を視聴中に、眼鏡を装着した場合には、サイマル放送の三次元映像が自動的に選局及び表示されるので、ユーザは特段の操作を要することなく、三次元映像を視認できる。
【００３７】
なお本実施形態において、サイマル放送が別チャンネルで放送されているとしたが、１つの番組に三次元及び二次元の複数の映像を持たせることにより同様の放送を実現することも可能である。この場合には、１つのチャンネルがもつ複数の映像ストリームを同一グループと判定し、前述のチャンネル切り換えに代えて、映像ストリームの切り換え（ＥＳ切り換え）を行うことにより、上記と同様の動作、効果が得られる。すなわち、眼鏡装着状態で表示映像の切り換え操作が行われた放送番組内の映像が二次元映像である場合、制御部１２５は放送番組内の三次元映像に切り換えて表示させる。また眼鏡の非装着状態で切り換え操作が行われた放送番組内の映像が三次元映像である場合、制御部１２５は放送番組内の二次元映像に切り換えて表示させる。映像表示の際には、切り換え操作によって指示された映像に係る放送番組情報が表示される。よって、ユーザが眼鏡をかけない状態で表示映像の切り換え操作を行う場合、三次元映像と二次元映像の区別なく映像が表示されることはなくなり、ユーザは見づらい映像の視認を余儀なくされることがない。
【００３８】
また図４に例示した処理では眼鏡制御・通信部１１３がＳ１０１にて最初にユーザの眼鏡装着状態を判定してから、Ｓ１１０やＳ１２０で映像の種別（二次元及び三次元）を判定した。これに限らず、ユーザ操作によって選局指示されたチャンネルの番組映像が三次元映像であるか、二次元映像であるかの判定処理後に、ユーザによる眼鏡の装着状態についての判定処理が行われるように構成してもよい。つまり映像判定部１１２が選局先のチャンネルの番組映像が三次元映像であると判定した後に、眼鏡制御・通信部１１３は眼鏡が装着されていることを確認し、ユーザ操作によって選局指示されたチャンネルの番組及び放送番組情報を表示部１０８が表示する。また眼鏡が未装着であると眼鏡制御・通信部１１３が判定すると、サイマル放送である二次元映像放送チャンネルの番組及び選局指示されたチャンネルの放送番組情報を表示部１０８が表示する。一方、映像判定部１１２が選局先のチャンネルの番組映像が二次元映像であると判定した後に、眼鏡制御・通信部１１３は眼鏡が装着されていることを確認する。サイマル放送である三次元映像放送チャンネルの番組及び選局指示されたチャンネルの放送番組情報を表示部１０８が表示する。また眼鏡制御・通信部１１３は眼鏡が未装着であると判定すると、選局指示されたチャンネルの番組及び放送番組情報を表示部１０８が表示する。
【００３９】
上述の実施形態によれば、ユーザが眼鏡を装着している状態で二次元映像を放送しているチャンネルへの選局指示を行った場合、該二次元映像放送の番組に対応する三次元映像放送の番組が存在していれば、該番組が自動的に選局されて表示される。よって、ユーザは特段の操作をすることなく、三次元映像を視認できる。またユーザが眼鏡を装着していない状態で三次元映像を放送しているチャンネルへの選局指示を行った場合、当該三次元映像放送の番組に対応する二次元映像放送の番組が存在していれば、その番組が自動的に選局されて表示される。よって、ユーザは見づらい三次元映像を視認せずに済む。これにより、ユーザの利便性を向上させることが可能となる。
【００４０】
なお、上述した実施形態における図４のＳ１１５及びＳ１２５では、実際に表示されている映像を放送しているチャンネルではなく、ユーザが選局したチャンネルの放送番組情報をバナーとして表示することにしている。その理由は、ユーザ自身が選局したチャンネルとは異なるチャンネル番号が表示されると混乱を招く可能性があるためである。しかし、Ｓ１１５では、番組情報バナーにおいて映像種別が「二次元」と表示されているにもかかわらず、実際の映像は三次元映像である。同様に、Ｓ１２５では、番組情報バナーにおいて映像種別が「三次元」と表示されているにもかかわらず、実際の映像は二次元映像である。つまり、実際の映像とバナーに表示される映像種別が異なることでユーザが混乱する可能性もある。そこで、Ｓ１１５及びＳ１２５では、番組情報バナーに加え、表示中の映像は選局したチャンネルで放送中の番組と同じ三次元（二次元）番組であることをユーザに通知するメッセージを表示するのが好適である。若しくは、Ｓ１１５及びＳ１２５において、ユーザが選局したチャンネルの番組情報バナーではなく、表示したチャンネルにおける番組情報バナーを表示してもよい。その際には、ユーザが選局したチャンネルは二次元（三次元）映像を放送しているチャンネルだったため、同じ内容の番組を三次元（二次元）映像で放送している別チャンネルに自動的に選局した旨を説明するメッセージを表示部１０８が表示する。
【００４１】
上述した実施形態では、フレームシーケンシャル方式の三次元映像表示を行うこととし、眼鏡は液晶シャッタタイプとした。しかし、背景技術欄に記載したように、偏向方式でも眼鏡を用いて視認することがある。偏向方式においても上述した実施形態で説明した内容と基本的には同じであるが、Ｓ１１６では偏向方式の眼鏡は開状態や閉状態といった概念が無いので、眼鏡側での制御は何も行わないことに注意が必要である。Ｓ１１６以外のステップでは偏向方式であっても、処理内容は同じである。
【００４２】
［第２実施形態］
以下、本発明の第２実施形態について説明する。なお第２実施形態に係る放送受信装置の構成は第１実施形態の場合と同様であり、よって説明は省略する。図６は、放送受信装置における選局処理例を示すフローチャートである。
ユーザがリモコン操作で順次にチャンネル切り換え操作を行うことにより、図６に示す処理が開始する。ここで順次に行われるチャンネル切り換え操作とは「次のチャンネルへの選局指示操作」を意味する。リモコン１２１には、選局するチャンネルをチャンネル番号の順序で順方向又は逆方向に順次送って選局する、いわゆるアップダウン選局キーが設けられている。このキーを押下することで、現在選局中のチャンネルの前後のチャンネル番号を有するチャンネルに順次選局することができる。例えば、チャンネル番号が１０１、１０２、１０３、１０４と並ぶケースにおいて、チャンネル番号１０３における放送の視聴中に、ユーザが順方向へのチャンネル切り換え操作を行うと、チャンネル番号１０４が選局される。
【００４３】
本実施形態でも図５（Ａ）と同じ放送状況を想定し、チャンネル番号１乃至６で放送局Ａ乃至Ｄが番組１乃至４の放送を行っているものとする。図７（Ａ）は、三次元映像放送チャンネルリスト（チャンネル番号１，３，４を含む）を例示し、図７（Ｂ）は二次元映像放送チャンネルリスト（チャンネル番号２，５，６を含む）を例示する。
【００４４】
ユーザが順次にチャンネル選局を行う操作部を用いてチャンネル切り換え操作を行うと、まず、Ｓ２０１において映像判定部１１２がチャンネルリストを生成する。このチャンネルリストは、三次元映像放送が行われているチャンネルのみ、又は二次元映像放送が行われているチャンネルのみを示したリストである。図５（Ａ）に示す放送が行われている状態では、図７（Ａ）に示す三次元映像放送チャンネルリスト、及び図７（Ｂ）に示す二次元映像放送チャンネルリストが生成される。このチャンネルリストは、制御部１２５によって作成されるものである。制御部１２５はＥＩＴに含まれるコンポーネント種別を検知し、検知したコンポーネント種別を用いて、放送されているチャンネルを二次元映像放送チャンネルリストと三次元映像放送チャンネルリストのいずれかに振り分ける。
【００４５】
次にＳ２０２にて眼鏡制御・通信部１１３は眼鏡１１４と通信し、装着状態検出部１１５の検出信号に基づいてユーザの眼鏡装着状態を判定する。その結果、ユーザが眼鏡を装着していると判定された場合は、Ｓ２１４へ処理を進める。ユーザが眼鏡を装着していないと判定された場合は、Ｓ２０４へ処理を進める。Ｓ２０４では、図７（Ｂ）に示す二次元映像放送チャンネルリストに基づいて制御部１２５が次のチャンネルの情報を検索して該情報を取得する。そしてＳ２０５にて、チューナ部１０２は制御部１２５から指令を受けて、Ｓ２０４で取得したチャンネル情報をもとにチャンネルを選局する。選局されたチャンネルにおいて放送中の番組の映像が表示され、上記一連の処理が終了する。
【００４６】
例えば、図５（Ａ）に示す放送が行われている状態で、ユーザが眼鏡を装着せずにチャンネル番号５の番組３を視聴しているものとする。ユーザが順方向（チャンネル番号が増加する方向）にチャンネル切り換え操作を行うと、図７（Ｂ）に示す二次元映像放送チャンネルリストに基づき、チャンネル番号６が次のチャンネル番号として取得される。つまりチャンネル６が選局され、番組４の二次元映像が表示される。また、図５（Ａ）に示す放送が行われている状態で、ユーザが眼鏡を装着せずにチャンネル番号５の放送番組３を視聴しているものとする。ユーザが逆方向（チャンネル番号が減少する方向）にチャンネル切り換え操作を行うと、図７（Ｂ）に示す二次元映像放送チャンネルリストに基づいてチャンネル番号２が次のチャンネル番号として取得される。つまりチャンネル２が選局され、番組１の二次元映像が表示される。
以上の動作により、ユーザが眼鏡を装着していない状態で順方向または逆方向に選局するチャンネルを順次切り換えられる操作が行われた場合は、三次元映像放送のチャンネルはスキップし、自動的に二次元映像放送のチャンネルが選局される。よって、眼鏡を装着していないユーザが見づらい三次元映像の視認を余儀なくされることはない。
【００４７】
一方、Ｓ２０２において、ユーザが眼鏡を装着していると判定された場合は、Ｓ２１４へ処理を進める。Ｓ２１４では、図７（Ａ）に示す三次元映像放送チャンネルリストから次のチャンネルの情報を検索し、チャンネルの情報を取得する処理が行われる。そしてＳ２１５では、取得したチャンネル情報をもとにチャンネルをチューナ部１０２が選局する。その後、選局されたチャンネルにおいて放送中の番組の映像が表示される。
例えば、図５（Ａ）に示す放送が行われている状態で、ユーザが眼鏡を装着してチャンネル番号３の番組２を視聴しているものとする。ユーザが順方向にチャンネル切り換え操作を行うと、図７（Ａ）に示す三次元映像放送チャンネルリストに基づいて、チャンネル番号４が次のチャンネル番号として取得される。つまりチャンネル４が選局されて番組３の三次元映像が表示される。また、図５（Ａ）に示す放送が行われている状態で、ユーザが眼鏡を装着してチャンネル番号３の番組２を視聴しているものとする。ユーザが逆方向にチャンネル切り換え操作を行うと、図７（Ａ）に示す三次元映像放送チャンネルリストに基づいて、チャンネル番号１が次のチャンネル番号として取得される。つまりチャンネル１が選局されて、番組１の三次元映像が表示される。
【００４８】
以上の動作により、ユーザが眼鏡を装着した状態で順方向または逆方向に選局するチャンネルを順次切り換えられる操作を行った場合は、二次元映像放送のチャンネルはスキップし、自動的に三次元映像放送のチャンネルが選局される。よってユーザは特段の操作を要することなく三次元映像を視認できる。これにより、ユーザの利便性を向上させることができる。なお本例ではチャンネルリストの生成が、ユーザによるチャンネル切り換え操作時に行われるものとして説明したが、これに限らず、視聴中や所定のタイミングで定期的にチャンネルリストが生成されるように構成してもよい。また、このようなチャンネルリストを必ずしも生成する必要は無く、選局操作の都度、ＥＩＴ等の情報を参照して、選局すべきチャンネルを選択することも可能である。重要なのは、ユーザによって順方向または逆方向にチャンネルを順次選局する操作入力が行われた場合に、ユーザの眼鏡の装着状態によって、二次元映像の番組又は三次元映像の番組のどちらを選局するかを判定することである。上記の第１実施形態はユーザが選局指示したチャンネルや映像ストリームと同一内容の他のチャンネルや映像ストリームを選択して表示する点に特徴を有していた。しかし、本実施形態は、ユーザが順方向又は逆方向にチャンネルを順次切り換える操作であるので、三次元映像のみ又は二次元映像のみを選択して表示するものである。
【００４９】
［第３実施形態］
以下、本発明の第３実施形態を説明する。なお第３実施形態に係る放送受信装置がその構成において第１実施形態と相違する点は、マルチビュー放送判定部１３０を設けたことであり、よって以下では相違点を説明する。
マルチビュー放送とは、１つの番組が複数の映像を有する番組の放送のことである。野球中継番組を例にして説明すると、バッターを中心とした映像を主映像とし、副映像としては、野球場全体を撮影した映像やベンチの様子を撮影した映像が、同一の番組として放送される。ユーザはリモコン等を使って映像ストリームの切り換え操作を行うことにより、主映像及び副映像のうち、所望の映像を切り換えて視認できる。
【００５０】
マルチビュー放送番組は、例えば図８に示すように複数の映像ＥＳ、音声ＥＳが多重化された構成となっている。本例では映像グループとして主映像、副映像１、副映像２を示す。そして主映像が映像ＥＳ１及び音声ＥＳ１を含み、副映像１が映像ＥＳ２及び音声ＥＳ２を含み、副映像２が映像ＥＳ３及び音声ＥＳ３を含む。
マルチビュー放送判定部１３０は、ＰＩＴに基づいて視聴中の番組が複数の映像ＥＳを有する場合、当該番組がマルチビュー放送番組であると判定し、判定結果を制御部１２５に送出する。
【００５１】
図９は、放送受信装置の映像切り換え処理例を示すフローチャートである。ユーザがリモコン１２１を用いて映像切り換え操作を行うことにより、図９に示す処理が開始する。
Ｓ６０１にてマルチビュー放送判定部１３０は、視聴中の番組がマルチビュー放送番組であるか否かを判定する。マルチビュー放送番組の場合、Ｓ６０２に進むが、マルチビュー放送番組でない場合（Ｓ６０１でＮＯ）には、映像切り換えを行えないため、処理が終了する。
【００５２】
Ｓ６０２にて眼鏡制御・通信部１１３は眼鏡１１４と通信し、装着状態検出部１１５の検出信号に基づいてユーザの眼鏡装着状態の如何を判定する。その結果、ユーザが眼鏡１１４を装着していないと判定された場合、Ｓ６０３へ進むが、ユーザが眼鏡１１４を装着していると判定された場合、Ｓ６１３に進む。
Ｓ６０３にて映像判定部１１２は、ＴＳデータ処理部１０３で分離したＥＩＴのコンポーネント記述子からコンポーネント種別を抽出する。そして映像判定部１１２は、マルチビュー放送番組内の次の映像が三次元映像であるか、二次元映像であるかを判定する。その結果、次の映像が二次元映像であると判定された場合、Ｓ６０４へ進み、当該二次元映像、つまりマルチビュー放送番組内の次の映像が表示され、処理が終了する。
【００５３】
一方Ｓ６０３において、次の映像が三次元映像であると判定された場合、Ｓ６０５へ進む。切り換え対象となる映像ＥＳとして、マルチビュー放送番組内の他の映像ＥＳが選択された上でＳ６０３へ戻る。例えば主映像から副映像１への映像切り換え時には、切り換え映像（次の映像）として副映像２が選択されてＳ６０３へ移行する。
以上の動作により、ユーザが眼鏡を装着していない状態で映像切り換え操作を行った場合、マルチビュー放送番組内の二次元映像が表示されるので、ユーザは見づらい三次元映像の視認を余儀なくされることがない。
【００５４】
一方、前記Ｓ６０２において、ユーザが眼鏡を装着していると判定された場合は、Ｓ６１３へ進む。ここで映像判定部１１２は、ＴＳデータ処理部１０３で分離したＥＩＴのコンポーネント記述子からコンポーネント種別を抽出する。そして映像判定部１１２は、マルチビュー放送番組内の次の映像が三次元映像であるか、二次元映像であるかを判定する。その結果、次の映像が三次元映像であると判定された場合、Ｓ６１４へ進み、当該三次元映像、すなわちマルチビュー放送番組内の次の映像が表示され、処理が終了する。Ｓ６１３において、次の映像が二次元映像であると判定された場合、Ｓ６１５へ進む。ここで切り換え対象となる映像として、マルチビュー放送番組内の他の映像ＥＳが選択された上でＳ６１３へ戻る。
【００５５】
なお、Ｓ６０５からＳ６０３へと戻るループ処理にてマルチビュー放送番組内に二次元映像が含まれていない場合や、Ｓ６１５から６１３へと戻るループ処理にてマルチビュー放送番組内に三次元映像が含まれていない場合には、無限ループとなってしまう。本例では、マルチビュー放送番組内の全映像に対してループ処理を行った後は、Ｓ６０５、Ｓ６１５の処理を中止するように構成されている。ループ処理を抜けるために処理を中止した場合、他に二次元映像がないために映像切り換えを中止した旨が画面に表示され、ユーザに通知される。
以上の動作により、ユーザが眼鏡を装着している状態で映像切り換え操作を行った場合、マルチビュー放送番組内の三次元映像が表示され、ユーザは特段の操作を要することなく、三次元映像を視認できる。
【符号の説明】
【００５６】
１００  放送受信装置
１１０  番組情報表示部
１１１  サイマル放送判定部
１１２  映像判定部
１１３  眼鏡制御・通信部
１１４  眼鏡
１１５  装着状態検出部
１２０  リモコン信号受信部
１２５  制御部
【図１】
0005615075.tif 000002
【図２】
0005615075.tif 000003
【図３】
0005615075.tif 000004
【図４】
0005615075.tif 000005
【図５】
0005615075.tif 000006
【図６】
0005615075.tif 000007
【図７】
0005615075.tif 000008
【図８】
0005615075.tif 000009
【図９】
0005615075.tif 000010